(57)【要約】【課題】履物用カバーを取扱う操作手段を、その側壁側に取付けることにより、操作手段を紐状物にしたり、カバー本体を踏台や腰掛として使用したりすることができる履物用カバーの提供を目的とする。【解決手段】履物を覆い雨や泥の跳上りなどの付着を防止するカバー本体の側方に、このカバー本体を前記履物上に被せたり、履物上から移動させたりする操作手段を取付けることで履物用カバーとした。操作手段をカバー本体の側壁に設けることで、操作手段を紐状物にして出荷状態の荷姿を小形化したり、カバー本体の頂部を踏台や腰掛として使用したりすることができるものである。【選択図】      図１
2004223216.tif 000002
【特許請求の範囲】
【請求項１】
履物を覆い雨や泥の跳上りなどの付着を防止するカバー本体と、
このカバー本体の側方に取付けられると共に、このカバー本体を前記履物上に被せたり、履物上から移動させたりする操作手段とからなる履物用カバー。
【請求項２】
履物を覆い雨や泥の跳上りなどの付着を防止するカバー本体と、
このカバー本体の側方に取付けられると共に、このカバー本体を前記履物上に被せたり、履物上から移動させたりする操作用の紐状物とからなる履物用カバー。
【請求項３】
履物を覆い雨や泥の跳上りなどの付着を防止すると共に、踏台を兼ねた箱形のカバー本体と、
この箱形よりなるカバー本体の側壁部に配設されて、このカバー本体を前記履物上に被せたり、履物上から移動させたりすると共に、前記踏台として使用した場合に手摺の代用を兼ねる支持棒とからなる履物用カバー。
【発明の詳細な説明】
【０００１】
【発明の属する技術分野】
本発明は、庭やベランダなどで使用する履物用カバーの操作手段を、カバーの側面側に配設することで、その取扱いを容易にしたり、カバー本体を有効活用したりできるように改善した履物用カバーに関する。
【０００２】
【従来の技術】
本発明の従来例としては、履物を覆う箱形の覆いの頂部中央に、柄付けを介して棒状の柄を設けた柄付き履物雨覆いがある。（例えば特許文献１参照）
また、履物を覆う桶状カバーの頂部に、植木鉢を載置したりそれらを持運ぶために取手を設けたりしたガーデニング兼用履物カバーがある。（例えば特許文献２参照）
【０００３】
【特許文献１】
特開２００１−１２０８９５号公報
【特許文献２】
特開２００２−１０２０３３号公報
【０００４】
【発明が解決しようとする課題】
特許文献１に示す柄付き履物覆いは、単に雨よけの作用しかなく、覆いの頂部中央に柄を取付けているために、その頂部を有効活用するためのスペースが少ないという欠点があった。
特許文献２に示すガーデニング兼用履物カバーは、カバーを雨よけの他に、カバーの頂部に２つの植木鉢を配設して、カバーの有効活用をしているが、全体の重量が重くなって移動が困難になってしまうという欠点があった。
この履物カバーの置き場所は、庭などの出入口付近に決っており、植木鉢を置くと日当りの関係と一致しないこともあった。また、植木鉢には水をかけるので、周囲が濡れてしまい汚れやすいという不具合もあって、カバーの有効活用としては不向きな活用策であった。
本発明は、このような不具合を解消するためになされたものであり、履物用カバーの操作手段の取付けを配慮することにより、その取扱いを容易にしたり、他の道具として有効活用したりすることができる履物用カバーの提供を目的とする。
【０００５】
【課題を解決するための手段】
上記不具合を解決するために、本発明は次のような構成としている。
請求項１に記載した履物用カバーは、履物を覆うカバー本体の側方に、このカバー本体を前記履物上に被せたり、移動させたりする操作手段を設けることで、履物用カバーとした。
カバー本体の側方に操作手段を設けると、カバー本体の頂部を有効活用したり、履物用カバーの取扱いを容易にしたりすることができる。
請求項２に記載した履物用カバーは、請求項１に記載した操作手段を紐状物とすることで履物用カバーとした。
紐状物をカバー本体の側方に設けた履物用カバーは、運搬時の荷姿や操作上の取扱いが容易になる。
請求項３に記載した履物用カバーは、請求項１に記載した操作手段を手摺の代用となる支持棒とし、カバー本体は踏台を兼ねた箱形とすることで履物用カバーとした。
カバー本体を踏台兼用とすることで、庭と建物内への出入りが容易になるものである。
【０００６】
【発明の実施の形態】
本発明について、図面を参照して説明する。図１は本発明の履物用カバーを示す一部破断斜視図、図２は図１で示す操作手段の説明図、図３は図１の作用説明図である。
図１で示すように、本発明の履物用カバー１０は、履物を覆うカバー本体１２と、このカバー本体を立った状態で、履物上に被せたり履物上から移動させたりすることができる操作手段２０とからなる。
これらのカバー本体１２と、操作手段２０とについて、更に詳細に説明する。
カバー本体１２は、サンダルや庭下駄などの履物を、１足又は２足を覆うことができる大きさの容器である。その形状は特に限定するものではないが、図１の例では箱形に形成している。
このケース本体１２は、透明の材料を用いて形成すると、収納した履物が見えるので都合が良く、カバー本体の目的も容易に理解することができる。
【０００７】
操作手段２０は、軟質性の紐２２や金属製又は合成樹脂製の鎖でも良く、折畳んで小さくまとめて収容できる紐状物よりなる。
図１及び図２で示すように紐２２の一端側は、３本に分かれた状態で、カバー本体１２の側方に取付けられると共に、他端側には吸着盤のように、壁面などに取付けできる取付具２８を配設している。
その一端側を３本に別れた紐２２は、主体となる１本の紐に対して、それよりも短い１本の組紐２４を二等分して、この二等分した部分と主体となる紐とを結束２５して、３本になるように形成している。
結束したこれらの紐のうち組紐２４の両端は、カバー本体１２の開口１３側の両端部に取付けると共に、主体となる紐２２の端部は、カバー本体１２の頂部側中央部に取付けている。
３本に分かれた紐を、このように取付けることにより、図２の点線で示すように、カバー本体１２を吊下げることができる。
換言すれば、紐２２を持ってカバー本体１２を支持した場合に、紐２２とカバー本体１２とが、略一直線状になると共に、３本に分かれたそれぞれの紐に、均等な力が加わった状態になるように紐２２を取付けたものである。
カバー本体１２は、３点支持で紐２２に接続されているから、吊下げ姿勢は安定した状態となる。
【０００８】
このように構成した履物用カバー１０の作用について説明する。
図３の点線で示すように、カバー本体１２をサンダル１等に被せておくことにより、雨などからサンダルを保護することができる。
この状態から紐２２を図中の矢印方向に引上げると、紐２２と結束した組紐２４により、図中の実線で示すようにカバー本体１２の一端が引上げられる。この状態では３本に分かれた先端部側の紐２２は、垂れ下った状態でありカバー本体を支持していない。
更に紐２２を引上げてカバー本体１２が垂直状態に起立すると、カバー本体は自重によって、図中の１点鎖線で示すように傾斜する。この状態では、カバー本体が紐２２によって支えられ、組紐２４は垂れ下って湾曲し、カバー本体を支えていない状態である。
カバー本体１２を１点鎖線で示す状態に維持して、サンダルを使用することができるものである。
逆にサンダルを覆う場合は、１点鎖線の状態から前述したと逆の方向にカバー本体を移動させて、紐２２を図中の矢印と反対の方向に緩めることによって、カバー本体をサンダル上に被せることができる。
換言すれば、紐の上げ下げによる操作によって、カバー本体を移動させることにより、サンダル等の履物を保護することができるものである。
【０００９】
このような履物用カバー１０の使用例について、図面を参照して説明する。図４は図１の使用例を示す説明図である。
履物用カバー１０を使用するには、図４で示すように庭の出入口となる付近の建物や支柱２などに、取付具２８を取付けすると共に、サンダル１上にカバー本体１２が位置するように設定する。
図４で示す場合は、図中の矢印Ａで示す方向に引戸３を開閉して、庭への出入口とした場合である。従って、カバー本体とサンダルは引戸３側に配設している。
このような状態から紐２２を図中の矢印Ｂで示す方向に引上ると、カバー本体１２が図３で示したように作用して、サンダルを使用することができる。
このような操作は、紐２２を手で持って操作するものであるが、図中の点線で示すように、引戸４に吸着盤よりなる取付具２８を取付けることによって、引戸４の開閉動作で紐を引く操作に変えることも可能である。但し、カバー本体を元へ戻すには、紐を手で操作することになる。
このような操作例では、取付具２８を引戸４の上部側に配設することにより、引上げ効果が良好になる。
また、取付具２８を引戸３側に取付けると共に、操作手段としての紐２２の先端部を、図４とは逆でカバー本体の左側に位置させると、引戸３を明けるだけでカバー本体を上昇させることができるから、更に便利に使用することができる。
取付具２８としての吸着盤から、棒体を庭側に突出させてその先端部に紐を取付けたり、開閉するカバー本体の支点側が、引戸の開く方向に移動しないように、ストッパーなどを地表に設けたりすると、更に操作性が向上する。
【００１０】
図１に示す操作手段２０としての紐２２は、その先端部を３本に分けてカバー本体１２に接続したが、この紐の先端部を２本に分けて、カバー本体開口１３側の両端部だけに接続することでも、カバー本体を操作することができる。
３本に分けて取付けた場合は、カバー本体の吊下げ姿勢が、より安定するだけで、操作性においては２本だけでも充分である。また、３本に分けてカバー本体の頂部側へ取付けた紐は、カバー本体の頂部面となる中心部に取付けることも可能である。
取付具２８の存在は、カバー本体が軽い場合でも、風で遠くへ吹き飛ばされないという作用も持っており、カバー本体の強度を向上させれば踏台として使用することも可能である。
【００１１】
本発明の他の例について、図面を参照して説明する。図５は本発明の他の例で履物用カバーを示す斜視図、図６は図５の側面を示す説明図である。
他の例で示す履物用カバー３０は、図５で示すように桶状のカバー本体３２と、このカバー本体の側壁に設けた支柱よりなる操作手段４０とからなる。
この桶状のカバー本体３２と、支柱よりなる操作手段４０とについて、更に詳細に説明する。
カバー本体３２は、桶をひっくり返した状態の容器状カバーよりなり、少くとも１足以上の履物を覆うことができる大きさである。このカバー本体３２の頂部には、足を乗せることができる踏板３４を配設している。
この踏板３４は、カバー本体３２を建物内に出入りする際の踏台としたり、庭の草取りの際に腰掛として使用したりするためのものである。図示のものは意匠的な効果をねらって、複数の細木を並設しているが、単に板を敷いた状態でもよい。
【００１２】
操作手段４０は、カバー本体の側壁に設けた支柱４２よりなり、その頂部には手摺ともなる取手４４を設けている。この取手４４は、履物用カバー３０を履物上に移動させるための操作手段４０ともなり、カバー本体３２を踏台として使用する際の手摺ともなるものである。
このような支柱４２は、カバー本体３２と着脱可能な状態で取付けている。
例えば図６で示すように、カバー本体３２の側壁に金属片を折曲して形成した複数の取付具３６などを取付けて、その取付具に支柱４２を嵌入して取付けると共に、ねじ止めなどを兼用させても良い。この着脱可能な取付けは、荷姿を小形化する為である。
【００１３】
このように構成した履物用カバー３０の使用例について説明する。この履物用カバー３０は、図４で示したと同様に庭先への通路となる引戸などの出入口に配設している。
サンダルなどの履物を脱ぐ横に、この履物用カバー３０を置くと共に、この履物用カバーの踏板上に、足を乗せて建物内に入ると、踏台や階段の代りに用いることができる。この履物用カバーを用いることにより、老人や膝の痛い人でも容易に出入りすることができる。
建物内に入ったら、履物用カバーの取手４４を持って、履物上に被せることにより、履物の濡れや汚れを防止することができる。
建物内から庭へ出るときは、取手４４を持って履物用カバーを、履物の横に移動させると共に、踏板３４を利用して履物上に降りて履くことができる。
庭と建物内への出入りには、支柱４２を利用して取手４４部分を手摺として用いることにより、安定した状態で出入りができるものである。また手摺が不要ならば、図１で示した紐状物よりなる操作手段をカバー本体３２に取付けすることも可能である。
【００１５】
【発明の効果】
以上説明したように本発明によれば、カバー本体の側壁にその操作手段を設けたことにより、以下の効果を得ることができた。
すなわち、操作手段として、紐状物を使用することができるようになり、出荷時の荷姿をカバー本体の大きさと同一にすることができた。
カバー本体の強度を向上させると、その頂部側を踏台として使用することができるので、建物内と庭への出入りが楽にできるようになった。また、庭の草取りを行う際の腰掛としても利用できるので非常に便利である。
カバー本体の材料を選択することにより、和風、洋風のどちらにもマッチする履物用カバーが得られた。
【図面の簡単な説明】
【図１】本発明の履物用カバーを示す一部破断斜視図である。
【図２】図１で示す操作手段の説明図である。
【図３】図１の作用説明図である。
【図４】図１の使用例を示す説明図である。
【図５】本発明の他の例を示す履物用カバーの斜視図である。
【図６】図５の側面を示す説明図である。
【符号の説明】
１０  履物用カバー
１２  カバー本体
２０  操作手段
２２  紐
２４  組紐
２８  取付具
３０  履物用カバー
３２  カバー本体
３４  踏板
３６  取付具
４０  操作手段
４２  支柱
４４  取手
【図１】
2004223216.tif 000003
【図２】
2004223216.tif 000004
【図３】
2004223216.tif 000005
【図４】
2004223216.tif 000006
【図５】
2004223216.tif 000007
【図６】
2004223216.tif 000008